(57)【要約】【課題】  開閉用の取っ手部により扉が装置本体の側方に位置するため装置の小型化を制限している。【解決手段】  扉２には押しボタン１と扉側フック部２ａを設け、本体側板１０の内側に扉側フック部２ａに係合する形動可能な装置本体側フック部３ａを設けることによって、本体側板と扉の位置関係が従来の位置関係より近接することができ、装置の小型化が図られる。また、従来のように取っ手をつかんで扉を開閉するのではなく、押しボタン１を押すだけで扉２を開放することができるため操作性の向上が図れる。【選択図】  図１
2005070309.tif 000002
【特許請求の範囲】
【請求項１】
装置本体に設けられた開閉可能な扉と、
前記扉に設けられた押しボタンと、
前記扉に固定されて設けられた扉側フック部と、
前記装置本体側に設けられ、前記押しボタンの操作により移動して前記扉側フック部との係合が解除可能なフック機構と、
を有することを特徴とする画像形成装置。
【請求項２】
前記フック機構は、回動軸により回動可能に設けられた装置本体側フック部を備え、該装置本体側フック部は前記扉が閉じている状態では前記扉側フック部と係合していて、前記押しボタンが押されると、前記装置本体側フック部が前記回動軸を中心に回動して、前記扉側フック部と離間して前記扉が開放されることを特徴とする請求項１に記載の画像形成装置。
【請求項３】
前記扉を開く方向に付勢する付勢手段を有し、前記扉が閉じている状態では、前記付勢手段によって前記扉側フック部と前記装置本体側フック部とが係合状態を維持していることを特徴とする請求項２に記載の画像形成装置。
【請求項４】
前記装置本体側フック部が前記扉側フック部に係合する方向に前記装置本体側フック部を付勢する弾性部材を備えたことを特徴とする請求項２又は請求項３に記載の画像形成装置。
【請求項５】
前記扉は前記装置本体内のシートの搬送路を開閉するために設けられていることを特徴とする請求項１乃至請求項４のいずれか１項に記載の画像形成装置。
【発明の詳細な説明】
【技術分野】
【０００１】
本発明は複写機やレーザビームプリンタ等の画像形成装置に関する。
【背景技術】
【０００２】
複写機やレーザビームプリンタ等の画像形成装置において、給紙部から排紙部までのシートの搬送路等で紙詰まり（ジャム）が生じたときに搬送路を扉により開いて処理を行っているものがある。この扉は、紙詰まり処理を容易にするためにヒンジ軸を中心として回動して開閉するものがあり、この開閉機構として取っ手を用いたものがある。
【０００３】
この従来の構成を図６及び図７を用いて説明する。図６は扉に設けた取っ手を平面で切った断面図であり、図７は画像形成装置の全体斜視図である。
【０００４】
図７に示すように、画像形成装置本体５０に扉５２がヒンジ軸（図示せず）を中心として開閉可能に支持されている。扉５２には取っ手５１が設けられている。また、扉５２と画像形成装置本体５０には扉５２をロックするためのロック機構が設けられている。
【０００５】
このロック機構を図６に基づいて説明する。扉５２には、回動軸５３が軸受部５２ａを中心に回動自在に取り付けられていて、この回動軸５３に取っ手５１とフック部５４とが一体に設けられている。一方、画像形成部本体５０の側板６０側には、取っ手側フック部５４と係合可能な装置本体側フック部５５が固定されている。なお、取っ手５１は図示しないバネにより取っ手側フック部５４の先端に設けたフック５４ａが装置本体側フック部５５の先端に設けたフック５５ａに係合する方向に付勢されている。
【０００６】
この構成によれば、取っ手５１を図６中Ｄの方向に回転することで、取っ手側フック部５４のフック５４ａと装置本体側フック部５５のフック５５ａの係合が解除され、扉５２が開くことができる。また、扉５２を画像形成装置本体５０側に押し込めば、取っ手側フック部５４のフック５４ａと装置本体側フック部５５のフック５５ａとが係合して扉５２がロックされる（例えば、特許文献１参照）。
【特許文献１】特開２００２−３５６２４４号公報
【発明の開示】
【発明が解決しようとする課題】
【０００７】
しかしながら、上記従来例では、扉５２側に取っ手５１、回動軸５３、取っ手側フック部５４の要素を有していて、図７に示すように、これら取っ手部の構成要素の占有面積が大きいため、取っ手部の位置を装置本体側板６０の側面６０ａの外側に配設しなければならない。
【０００８】
装置本体側板６０の位置は、給紙カセット等その他の構成要素を含め装置全体の強度を保つため決められていて、容易に内側に移動できるものではない。そのため図６に示すように扉が外側に出っ張る（Ｘ寸法）など、装置を小型化する上での弊害になってしまう欠点があった。
【０００９】
本発明は上記問題に鑑みてなされたもので、その目的とするところは、装置の小型化を図り、操作性も向上する画像形成装置を提供するところにある。
【課題を解決するための手段】
【００１０】
上記の目的を達成するための画像形成装置は、装置本体に設けられた開閉可能な扉と、前記扉に設けられた押しボタンと、前記扉に固定されて設けられた扉側フック部と、前記装置本体側に設けられ、前記押しボタンの操作により移動して前記扉側フック部との係合が解除可能なフック機構と、を有することを特徴とする。
【発明の効果】
【００１１】
以上説明したように、本発明によれば、扉を装置本体に開閉可能に設けた画像形成装置において、扉には押しボタンのみで、装置本体側にフック機構を有することによって、装置本体側板と扉の位置関係が従来の位置関係より近接することができ、装置の小型化が図られる。また、従来のように取っ手をつかんで扉を開閉するのではなく、押しボタンを押すだけで扉が開閉するため操作性の向上が図れる。
【発明を実施するための最良の形態】
【００１２】
以下、図１乃至図５を用いて、本発明を実施した画像形成装置について説明を行う。まず、図４の断面図を用いて本発明の画像形成装置の全体構成を説明する。
【００１３】
１００は画像形成装置である複写機であり、１０１は画像形成装置本体であり、画像形成装置本体（以下装置本体という）１０１の上部には固定して設けられた透明ガラス板からなる原稿台１０２が設けられている。１０３は原稿圧着板であり、原稿台１０２の所定の位置に画像面を下向きにして載置された原稿Ｄｏを押圧固定する。原稿台１０２の下側には原稿Ｄｏを照明するランプ１０４と、照明した原稿Ｄｏの光像を画像処理ユニット１０８に導くための反射ミラー１０５、１０６、１０７とからなる光学系が設けられている。なお、ランプ１０４及び反射ミラー１０５、１０６、１０７は所定の速度で左右に移動して原稿Ｄｏを走査する。
【００１４】
画像形成部１２０は、感光ドラム１２１と、感光ドラム１２１の表面を均一に帯電する帯電ローラ１２２と、感光ドラム１２１にトナー像を形成するロータリ現像ユニット１２５と、感光ドラム１２１の表面に現像されたトナー像が転写される中間転写ベルト１３０と、中間転写ベルト１３０のトナー像をシートＳに転写する転写内ローラ１３１と、トナー像を転写した後、感光ドラム１２１に残留したトナーを除去するクリーナ１２３等を備えている。
【００１５】
感光ドラム１２１は、帯電ローラ１２２によって帯電された感光ドラム１２１の表面にレーザーユニット１０９から照射される光像により形成された静電潜像を現像して中間転写ベルト１３０に転写するようになっている。中間転写ベルト１３０上のトナー像は、２次転写部の転写対ローラ１３１によってシートＳに転写される。シートＳは、装置本体１０１の下側に配置されているシートカセット１１０から供給されるようになっている。
【００１６】
画像形成部１２０の下流側には、搬送されるシートＳ上のトナー像を永久画像として定着する定着器１３５と、この定着器１３５においてトナー像が定着されたシートＳを複写機本体１０１から排出する排出ローラ対１１２とを順に配設してある。複写機本体１０１の外側には、排出ローラ対１１２によって排出されたシートＳを受け取る排出部１１３が設けられている。
【００１７】
シートカセット１１０から画像形成部１２０を通り、排出ローラ対１１２までシートの搬送路１４０が略垂直に配置されている。さらに、その搬送路１４０の側方にシートの両面に画像を形成させるためにシートを再度画像形成部１２０に搬送するための再給紙搬送路１４１が配置されている。そして、搬送路１４０及び再給紙搬送路１４１での紙詰まりを除去するために装置本体１０１の側面に開閉可能な扉２が設けられている。なお、扉２は装置本体１０１に図示しないヒンジにより回動可能に支持されている。
【００１８】
次に、本発明の特徴である、装置本体１０１の小型化と扉の開閉の操作性を向上させる扉の開閉機構について図１乃至図３に基づいて説明する。
【００１９】
図１は本発明に係わる開閉機構を平面で切った断面図である。押しボタン１は扉２に配置され、装置本体１０１の内部に所定の深さだけ入り込むことが可能である。押しボタン１の軸部１ａの周りにはばね４が取り付けられていて、押しボタン１が外方向に付勢されている。装置本体側フック３が本体側板１０の内側に位置し、フック部３ａ、レバー部３ｂ、回動軸３ｃから成り、回動軸３ｃは軸受５により回動自在に設けられている。押しボタン１には、レバー部３ｂに係合する突起部１ｂが設けられている。扉２には、フック部３ａと係合可能な扉側フック部２ａが設けられている。装置本体側フック３は、不図示のバネ等の弾性部材により図２のＢ方向とは反対方向に付勢されている。また、扉２は図示しないばね等の付勢手段により常にＡの反対方向に付勢されているので、扉２が閉まった状態では、扉側フック部２ａと装置本体側フック部３ａとの係合状態が維持される。
【００２０】
上記のような構成を有する本発明の実施例による開閉機構の動作は次の通りである。
【００２１】
図２に示すように、押しボタン１をＡ方向に押すことにより、押しボタン１はばね４の弾性力に抗して扉２の内部に入り込む。押しボタン１の突起部１ｂにより装置本体側フック３のレバー部３ｂが押されて装置本体側フック３は図２中のＢ方向に回動して、フック部３ａと扉側フック部２ａの係合が解除され、不図示の付勢手段によりＡの反対方向の付勢力によって、扉２は図３に示すＣ方向に開放される。押しボタン１を放すと、ばね４の弾性力により押しボタン１は元の位置に戻る。
【００２２】
扉２を閉める場合は、直接扉２を回動させて装置本体１０１に押し込むと、装置本体側フック３のフック部３ａが扉側フック部２ａの反対面に形成されている斜面２ｂによって回動して、フック部３ａと扉側フック部２ａとが係合して扉２がロックされる。
【００２３】
このように、装置本体側に回動可能なフック機構を設けることにより、扉２側にはフック機構を動作させる押しボタン１と扉側フック部２ａを設けるだけでよく、さらに、扉側フック部２ａと装置本体側フック部３ａとの係合が外れる程度の押しボタン１の移動ストロークだけでよいため、扉２を薄くすることができる。すなわち、図１のＹ寸法を従来の扉の図６のＸ寸法よりも大幅に小さくすることが可能となる。これにより、図５に示すように、扉２が画像形成装置１０１の側面に飛び出すことがなくなり小型化を図ることができる。さらに、押しボタン１を押すだけでロックが解除されるため、操作性も向上する。
【図面の簡単な説明】
【００２４】
【図１】本発明の扉の開閉機構の一例を示す断面図
【図２】図１に示す開閉機構の動作説明図
【図３】図１に示す開閉機構の動作説明図
【図４】図１の開閉機構を備えた画像形成装置の一例を示す断面図
【図５】図４に示した画像形成装置の斜視図
【図６】従来の扉の開閉機構の一例を示す断面図
【図７】図６に示した開閉機構を備えた画像形成装置の斜視図。
【符号の説明】
【００２５】
１  押しボタン
２  扉
２ａ  扉側フック部
３  装置本体側フック
３ａ  装置本体側フック部
５  軸受
１０  本体側板
【図１】
2005070309.tif 000003
【図２】
2005070309.tif 000004
【図３】
2005070309.tif 000005
【図４】
2005070309.tif 000006
【図５】
2005070309.tif 000007
【図６】
2005070309.tif 000008
【図７】
2005070309.tif 000009